【手続補正書】
【提出日】平成20年5月7日(2008.5.7)
【手続補正１】
【補正対象書類名】特許請求の範囲
【補正対象項目名】全文
【補正方法】変更
【補正の内容】
【特許請求の範囲】
【請求項１】
物体側から順に、正屈折力の第１レンズ群と、負屈折力の第２レンズ群と、正屈折力の第３レンズ群を有し、
広角端状態から望遠端状態への変倍に際し、前記第１レンズ群と前記第２レンズ群の間隔は増大し、前記第２レンズ群と前記第３レンズ群の間隔が減少するように、少なくとも前記第１レンズ群と前記第３レンズ群が移動し、
前記第１レンズ群は物体側から順に、少なくとも１枚の負レンズと少なくとも１枚の正レンズからなる正屈折力の前群と、１枚の正レンズからなる正屈折力の後群とからなり、前記後群のみを物体方向に移動させることにより、遠距離状態から近距離状態へのフォーカシングをおこなうことを特徴とするズームレンズ。
【請求項２】
以下の条件を満足することを特徴とする請求項１に記載のズームレンズ。
１．１＜ｆＴ／ｆ１ｂ＜２．０
但し、
ｆＴは前記ズームレンズの望遠端状態における焦点距離、
ｆ１ｂは前記後群の焦点距離。
【請求項３】
以下の条件を満足することを特徴とする請求項１または２に記載のズームレンズ。
０．０１５＜Δ／ｆＴ＜０．０５０
但し、
ｆＴは前記ズームレンズの望遠端状態における焦点距離
Δはズームレンズの望遠端状態において無限遠合焦状態から、像面までの距離が望遠端状態の焦点距離（ｆＴ）の１０倍の距離の物体に合焦する状態までの前記後群の移動量。
【請求項４】
広角端状態から望遠端状態への変倍に際し、前記第１レンズ群は物体方向に移動することを特徴とする請求項１から３のいずれか1項に記載のズームレンズ。
【請求項５】
広角端状態から望遠端状態への変倍に際し、前記第３レンズ群は物体方向に移動することを特徴とする請求項１から４のいずれか１項に記載のズームレンズ。
【請求項６】
広角端状態から望遠端状態への変倍に際し、前記第２レンズ群は移動することを特徴とする請求項１から５のいずれか１項に記載のズームレンズ。
【請求項７】
広角端状態から望遠端状態への変倍に際し、前記第２レンズ群は一旦像面方向に移動した後に物体方向に移動することを特徴とする請求項６に記載のズームレンズ。
【請求項８】
前記後群内の前記正レンズは物体側に凸の形状を有し、以下の条件を満足することを特徴とする請求項１から７のいずれか１項に記載のズームレンズ。
６２＜ν1b
０．５＜（r1bF＋r1bR）／（r1bR−r1bF）＜２．０
但し、
ν1bは前記後群内の前記正レンズのｄ線（λ＝５８７．６ｎｍ）に対するアッベ数、
r1bFは前記後群内の前記正レンズの物体側の曲率半径、
r1bRは前記後群内の前記正レンズの像側の曲率半径。
【請求項９】
前記前群は、物体側から順に、物体側に凸面を向けた負メニスカスレンズと両凸形状の正レンズからなり、以下の条件を満足することを特徴とする請求項１から８のいずれか１項に記載のズームレンズ。
０．２０＜n1an−n1ap
３０＜ν1ap−ν1an
但し、
n1anは前記前群内の前記負メニスカスレンズのｄ線に対する屈折率、
n1apは前記前群内の前記両凸形状の正レンズのｄ線に対する屈折率、
ν1apは前記前群内の前記両凸形状の正レンズのｄ線に対するアッベ数、
ν1anは前記前群内の前記負メニスカスレンズのｄ線に対するアッベ数。
【請求項１０】
前記前群内の前記負メニスカスレンズと前記両凸形状の正レンズは接合されていることを特徴とする請求項９に記載のズームレンズ。
【請求項１１】
以下の条件を満足することを特徴とする請求項１から１０のいずれか１項に記載のズームレンズ。
１．５＜ｆＴ／ｆ１＜３．０
但し、
ｆＴは前記ズームレンズの望遠端状態における焦点距離、
ｆ１は無限遠合焦状態における前記第１レンズ群の焦点距離。
【請求項１２】
以下の条件を満足することを特徴とする請求項１から１１のいずれか１項に記載のズームレンズ。
−１３．０＜ｆＴ／ｆ２＜−５．０
但し、
ｆＴは前記ズームレンズの望遠端状態における焦点距離、
ｆ２は前記第２レンズ群の焦点距離。
【請求項１３】
以下の条件を満足することを特徴とする請求項１から１２のいずれか１項に記載のズームレンズ。
３．０＜ｆＴ／ｆ３＜９．０
但し、
ｆＴは前記ズームレンズの望遠端状態における焦点距離、
ｆ３は前記第３レンズ群の焦点距離。
【請求項１４】
前記第２レンズ群は、２枚の負レンズと１枚の正レンズからなり、さらに、前記２枚の負レンズのうちの１枚と前記正レンズが接合されていることを特徴とする請求項１から１３のいずれか１項に記載のズームレンズ。
【請求項１５】
前記第３レンズ群は、物体側から順に、正屈折力の第３レンズ群中の前群と、負屈折力の第３レンズ群中の中群と、第３レンズ群中の後群からなり、前記第３レンズ群中の中群のみを光軸と直交方向に移動させることにより手ぶれ補正をおこなうことを特徴とする請求項１から１４のいずれか１項に記載のズームレンズ。
【請求項１６】
以下の条件を満足することを特徴とする請求項１５に記載のズームレンズ。
４．０＜ｆＴ／ｆ３ａ＜１０．０
−５．０＜ｆＴ／ｆ３ｂ＜−２．０
−１．０＜ｆＴ／ｆ３ｃ＜２．０
但し、
ｆＴは前記ズームレンズの望遠端状態における焦点距離、
ｆ３ａは前記第３レンズ群中の前群の焦点距離、
ｆ３ｂは前記第３レンズ群中の中群の焦点距離、
ｆ３ｃは前記第３レンズ群中の後群の焦点距離。
【請求項１７】
物体側から順に、正屈折力の第１レンズ群と、負屈折力の第２レンズ群と、正屈折力の第３レンズ群を有し、
広角端状態から望遠端状態への変倍に際し、前記第１レンズ群と前記第２レンズ群の間隔は増大し、前記第２レンズ群と前記第３レンズ群の間隔が減少し、
前記第１レンズ群は、物体側から順に、少なくとも１枚の負レンズと少なくとも１枚の正レンズからなる正屈折力の前群と、１枚の正レンズからなる正屈折力の後群とからなり、前記後群のみを物体方向に移動させることにより、遠距離状態から近距離状態へのフォーカシングをおこない、以下の条件を満足することを特徴とするズームレンズ。
１．１＜ｆＴ／ｆ１ｂ＜２．０
但し、
ｆＴは前記ズームレンズの望遠端状態における焦点距離、
ｆ１ｂは前記後群の焦点距離。
【請求項１８】
広角端状態から望遠端状態への変倍に際し、少なくとも前記第１レンズ群と前記第３レンズ群が移動することを特徴とする請求項１７に記載のズームレンズ。
【請求項１９】
広角端状態から望遠端状態への変倍に際し、前記第１レンズ群が物体側に移動することを特徴とする請求項１７または１８に記載のズームレンズ。
【請求項２０】
広角端状態から望遠端状態への変倍に際し、前記第３レンズ群が物体側に移動することを特徴とする請求項１７から１９のいずれか１項に記載のズームレンズ。
【請求項２１】
物体側から順に、正屈折力の第１レンズ群と、負屈折力の第２レンズ群と、正屈折力の第３レンズ群を有し、
広角端状態から望遠端状態への変倍に際し、前記第１レンズ群と前記第２レンズ群の間隔は増大し、前記第２レンズ群と前記第３レンズ群の間隔が減少し、
前記第１レンズ群は、物体側から順に、少なくとも１枚の負レンズと少なくとも１枚の正レンズからなる正屈折力の前群と、１枚の正レンズからなる正屈折力の後群とからなり、前記後群のみを物体方向に移動させることにより、遠距離状態から近距離状態へのフォーカシングをおこない、以下の条件を満足することを特徴とするズームレンズ。
０．０１５＜Δ／ｆＴ＜０．０５０
但し、
ｆＴは前記ズームレンズの望遠端状態における焦点距離、
Δはズームレンズの望遠端状態において無限遠合焦状態から、像面までの距離が望遠端状態の焦点距離（ｆＴ）の１０倍の距離の物体に合焦する状態までの前記後群の移動量。
【請求項２２】
前記第３レンズ群は、物体側から順に、正屈折力の第３レンズ群中の前群と、負屈折力の第３レンズ群中の中群と、第３レンズ群中の後群からなり、前記第３レンズ群中の中群のみを光軸と直交方向に移動させることにより手ぶれ補正をおこなうことを特徴とする請求項２１に記載のズームレンズ。
【請求項２３】
物体側から順に、正屈折力の第１レンズ群と、負屈折力の第２レンズ群と、正屈折力の第３レンズ群を有し、
広角端状態から望遠端状態への変倍に際し、前記第１レンズ群と前記第２レンズ群の間隔は増大し、前記第２レンズ群と前記第３レンズ群の間隔が減少し、
前記第１レンズ群は、物体側から順に、少なくとも１枚の負レンズと少なくとも１枚の正レンズからなる正屈折力の前群と、１枚の正レンズからなる正屈折力の後群とからなり、前記後群のみを物体方向に移動させることにより、遠距離状態から近距離状態へのフォーカシングをおこない、
前記第３レンズ群は、物体側から順に、正屈折力の第３レンズ群中の前群と、負屈折力の第３レンズ群中の中群と、第３レンズ群中の後群からなり、前記第３レンズ群中の中群のみを光軸と直交方向に移動させることにより手ぶれ補正をおこなうことを特徴とするズームレンズ。
【請求項２４】
以下の条件を満足することを特徴とする請求項２３に記載のズームレンズ。
４．０＜ｆＴ／ｆ３ａ＜１０．０
−５．０＜ｆＴ／ｆ３ｂ＜−２．０
−１．０＜ｆＴ／ｆ３ｃ＜２．０
但し、
ｆＴは前記ズームレンズの望遠端状態における焦点距離、
ｆ３ａは前記第３レンズ群中の前群の焦点距離、
ｆ３ｂは前記第３レンズ群中の中群の焦点距離、
ｆ３ｃは前記第３レンズ群中の後群の焦点距離。
【請求項２５】
物体側から順に、正屈折力の第１レンズ群と、負屈折力の第２レンズ群と、正屈折力の第３レンズ群を有し、
広角端状態から望遠端状態への変倍に際し、前記第１レンズ群と前記第２レンズ群の間隔は増大し、前記第２レンズ群と前記第３レンズ群の間隔が減少するように、少なくとも前記第１レンズ群と前記第３レンズ群が移動するとともに、前記第１レンズ群は物体方向に移動し、
前記第１レンズ群は、物体側から順に、少なくとも１枚の負レンズと少なくとも１枚の正レンズからなる正屈折力の前群と、１枚の正レンズからなる正屈折力の後群とからなり、前記後群のみを物体方向に移動させることにより、遠距離状態から近距離状態へのフォーカシングをおこなうことを特徴とするズームレンズ。
【請求項２６】
広角端状態から望遠端状態への変倍に際し、前記第２レンズ群は一旦像面方向に移動した後に物体方向に移動することを特徴とする請求項２５に記載のズームレンズ。
【請求項２７】
物体側から順に、正屈折力の第１レンズ群と、負屈折力の第２レンズ群と、正屈折力の第３レンズ群を有し、
広角端状態から望遠端状態への変倍に際し、前記第１レンズ群と前記第２レンズ群の間隔は増大し、前記第２レンズ群と前記第３レンズ群の間隔が減少するように、少なくとも前記第１レンズ群と前記第３レンズ群が移動するとともに、前記第３レンズ群は物体方向に移動し、
前記第１レンズ群は、物体側から順に、少なくとも１枚の負レンズと少なくとも１枚の正レンズからなる正屈折力の前群と、１枚の正レンズからなる正屈折力の後群とからなり、前記後群のみを物体方向に移動させることにより、遠距離状態から近距離状態へのフォーカシングをおこなうことを特徴とするズームレンズ。
【請求項２８】
以下の条件を満足することを特徴とする請求項２７に記載のズームレンズ。
１．５＜ｆＴ／ｆ１＜３．０
但し、
ｆＴは前記ズームレンズの望遠端状態における焦点距離、
ｆ１は無限遠合焦状態における前記第１レンズ群の焦点距離。
【手続補正２】
【補正対象書類名】明細書
【補正対象項目名】０００９
【補正方法】変更
【補正の内容】
【０００９】
０．０１５＜Δ／ｆＴ＜０．０５０
但し、ｆＴは前記ズームレンズの望遠端状態における焦点距離、Δはズームレンズの望遠端状態において無限遠合焦状態から、像面までの距離が望遠端状態の焦点距離（ｆＴ）の１０倍の距離の物体に合焦する状態までの前記後群の移動量である。
また、本発明は、物体側から順に、正屈折力の第１レンズ群と、負屈折力の第２レンズ群と、正屈折力の第３レンズ群を有し、広角端状態から望遠端状態への変倍に際し、前記第１レンズ群と前記第２レンズ群の間隔は増大し、前記第２レンズ群と前記第３レンズ群の間隔が減少し、前記第１レンズ群は、物体側から順に、少なくとも１枚の負レンズと少なくとも１枚の正レンズからなる正屈折力の前群と、１枚の正レンズからなる正屈折力の後群とからなり、前記後群のみを物体方向に移動させることにより、遠距離状態から近距離状態へのフォーカシングをおこない、前記第３レンズ群は、物体側から順に、正屈折力の第３レンズ群中の前群と、負屈折力の第３レンズ群中の中群と、第３レンズ群中の後群からなり、前記第３レンズ群中の中群のみを光軸と直交方向に移動させることにより手ぶれ補正をおこなうことを特徴とするズームレンズを提供する。
また、本発明は、物体側から順に、正屈折力の第１レンズ群と、負屈折力の第２レンズ群と、正屈折力の第３レンズ群を有し、広角端状態から望遠端状態への変倍に際し、前記第１レンズ群と前記第２レンズ群の間隔は増大し、前記第２レンズ群と前記第３レンズ群の間隔が減少するように、少なくとも前記第１レンズ群と前記第３レンズ群が移動するとともに、前記第１レンズ群は物体方向に移動し、前記第１レンズ群は、物体側から順に、少なくとも１枚の負レンズと少なくとも１枚の正レンズからなる正屈折力の前群と、１枚の正レンズからなる正屈折力の後群とからなり、前記後群のみを物体方向に移動させることにより、遠距離状態から近距離状態へのフォーカシングをおこなうことを特徴とするズームレンズを提供する。
また、本発明は、物体側から順に、正屈折力の第１レンズ群と、負屈折力の第２レンズ群と、正屈折力の第３レンズ群を有し、広角端状態から望遠端状態への変倍に際し、前記第１レンズ群と前記第２レンズ群の間隔は増大し、前記第２レンズ群と前記第３レンズ群の間隔が減少するように、少なくとも前記第１レンズ群と前記第３レンズ群が移動するとともに、前記第３レンズ群は物体方向に移動し、前記第１レンズ群は、物体側から順に、少なくとも１枚の負レンズと少なくとも１枚の正レンズからなる正屈折力の前群と、１枚の正レンズからなる正屈折力の後群とからなり、前記後群のみを物体方向に移動させることにより、遠距離状態から近距離状態へのフォーカシングをおこなうことを特徴とするズームレンズを提供する。